(57)【要約】【課題】  従来の地中に差すゴルフテイーは失い易く、壊れ易く。また冬季地面が凍るときは、地中に差すことが出来ず、地面に穴を開ける道具が必要になり使用し難い。また従来の置いて使用する、置き型テイーは倒れ易く設置が困難で使用し難い。またテイーの高低を調節できない、そのような多くの問題点を提供する。【解決手段】台座（７）の上部に孔（４）を設け、台座（７）の側面に孔（５）、孔（６）を設け、シリコンチューブ（２）に輪ゴム（３）を設け、孔（５）、孔（６）に輪ゴム（３）を設け、テイー（１）にシリコンチューブ（２）を設け、孔（４）にテイー（１）を設けたことを特徴としたゴルフテイー。【選択図】図１
2010148837.tif 000002
【特許請求の範囲】
【請求項１】
（イ）台座（７）の上部に孔（４）を設ける
（ロ）台座（７）の側面に孔（５）、孔（６）を設ける。
（ハ）シリコンチューブ（２）に輪ゴム（３）を設ける。
（ニ）孔（５）、孔（６）に輪ゴム（３）を設ける。
（ホ）テイー（１）にシリコンチューブ（２）を設ける。
（ヘ）孔（４）にテイー（１）を設ける。
以上のように構成されたゴルフテイー。
【発明の詳細な説明】
【技術分野】
【０００１】  本発明は、テイーグランドで、テイーショットを行うときにボールを載せて使用するゴルフテイーに関するものである。
【背景技術】
【０００２】  従来、ゴルフテイーは、木、プラスチック、ゴム、金属などで作ったテイーを地面に差込み、ボールを載せるものがあった。
または、プラスチック、合成樹脂などで作ったものを地面に置き、ボールを載せて使用するものでる。
【特許文献１】  特開２０００−２６２６５８号公報
【特許文献２】  特開２００７−１９５９４９号公報
【実用新案文献１】
実用新案登録第３０５８１３６号公報
【発明の開示】
【発明が解決しようとする課題】
【０００３】  従来の地面に差し込むテイーは、木、合成樹脂、ゴム、プラスチック、金属、最近では、地中で溶ける炭水化物を材料にして作られたテイーを使用しているものもあるが、いずれのテイーも芝の中に飛んで入ったとき、失いやすく、また、折れやすいため、つねにいくつか予備をポケットに入れておく必要がある。
長いもの、短いものを予備として持ち歩くのには気を使い手探りで、短いものや長いものをポケットの中で判断するのにも気を使う。
ゴルフは、メンタルのスポーツといわれるスポーツなのでそのようなことは避けたい。
また、置き型のテイーは現在市場に出ているものは、テイーの高さの高低を調節できるものがなく、低いテイーと高いテイーを持たねばならない。
また、その形状から持ち運びにかさばるので、ポケットに入れて運ぶのには適していない。
また、芝の上に立ちにくいので、セットするまで時間がかかり、いらだつことが多い。
上記に上げたもの、失いやすい、折れやすい、持ち運びにくい、セットしにくい、気を使わねばならない、壊れ易い、これら課題のすべてを解決する必要がある。
【課題を解決する手段】
【０００４】（イ）台座（７）の上部に孔（４）に設ける
（ロ）台座（７）の側面に孔（５）、孔（６）を設ける。
（ハ）シリコンチューブ（２）に輪ゴム（３）を設ける。
（ニ）孔（５）、孔（６）に輪ゴム（３）を設ける。
（ホ）テイー（１）にシリコンチューブ（２）を設ける。
（ヘ）孔（４）にテイー（１）を設ける。
以上のように構成されたゴルフテイー。
【発明の効果】
【０００５】  ただ一つのテイーであらゆるテイーショットに対応することを可能にした。
持ち運びに負担がなくなった。また使用時にフラストレーションが掛からなくなった。
ヒットしたとき、他のテイーと比較して抵抗が少ないので、飛距離が伸びることに貢献した。
丈夫なので購入の回数を著しく減少させる経済性に貢献している。
本発明は、前記の課題（問題点）のすべてを解決し、セットしたとき見た目の良いゴルテイーである。
（イ）まず、本発明のテイーはボールをヒットしたときに遠くに飛ばないので失わない。
（ロ）壊れない。
（ハ）折れにくい。
（ニ）かさばらない。
（ホ）１つのテイーで高さを自由に調節できる。
テイーを台座から外して、台座の上部にボールを直接置けばショートホールのテイ    ーとしても使用できる。
ただし、アイアンでターフを取るハードヒッターはショートホールでは使用しない    方が好ましい。
また、ショートホール用のテイーとして使用するときは高低の調節はできない。
（ヘ）芝の上に、ほぼ、１００パーセント簡単に設置できる。
【本発明の実施の形態を説明する】
【０００６】（イ）台座（７）の上部に孔（４）に設ける
（ロ）台座（７）の側面に孔（５）、孔（６）を設ける。
（ハ）シリコンチューブ（２）に輪ゴム（３）を設ける。
（ニ）孔（５）、孔（６）に輪ゴム（３）を設ける。
（ホ）テイー（１）にシリコンチューブ（２）を設ける。
（ヘ）孔（４）にテイー（１）を設ける。
本発明は、以上のように構成されたゴルフテイーである。
次に、本発明の使い方を説明する。
（イ）遠くに飛ばない発明、台座とティーが伸縮性のゴム輪で結ばれているので、ドライ    バー用クラブでヒットしたときにおきる巨大な力が、台座からテイーが外れるとき、    その巨大な力が逃げる、外れた台座は風圧を受けて飛びにくくする。
結果、遠くには飛ばず、無くなることはない。
（ロ）台座とテイーが簡単に外れるので大きな力が掛からず、テイーが折れない。
（ハ）ヒットした後、テイーと台座が離れているので、持ち運びにはまったくかさばらな    い。
（ニ）セットしやすい、合成樹脂製の吸盤の底辺部が柔らかく、また台座とテイーが簡単    に離脱できるので台座をかなり大きくしても、持ち運びに支障がない。また地面への    設置面が円錐形のため、芝の状態に関わらず必ずセットできる。
（ホ）芝の上に、時間が掛からず、設置しやすいので、いらいらと気を使うようなことは    解消されている。
（ヘ）台座とテイーを輪ゴムとシリコン〔ｓｉｌｉｃｏｎｅ〕製の柔らかいチュウブで接    続することで、ゴム輪にはボールをヒットするとき以外、まったく緊張させることが    ない。
結果、輪ゴムが長持ちする。
また、初めから台座とテイーは、簡単に、取り外しされるように、工夫されている    ので、テイー〔差し込むテイーは、プラスチック、木、硬質シリコン、金属その他な    んでも使用可能である。
本発明のテイーは吸盤型で倒れることなく、簡単に設置できる。
また、テイーの高低を簡単に調節できる。
吸盤型の台座に従来の地中に差すテイーを、柔軟なシリコンのチュウブを介して、ゴム輪で取り付けることで、本発明のテイーは失いにくい、壊れにくいものとなった。
接続してあるテイーが壊れたときには、使用者が新しい物に変えることが容易にできる。
また、ゴム輪は、ボールをヒットするとき以外、緊張していないので、長期間、劣化するまで使用できる。
劣化したら、使用者が新しいゴム輪に変えられる。
試用期間が従来のものとは比較できないほど長くなる。
【図面の簡単な説明】
【０００７】
【図１】  本発明の分解斜視図である。
【図２】  本発明の斜視図である。
【符号の説明】
【０００８】  １  テイー
２  シリコンチュウブ
３  輪ゴム
４  テイーを挿す孔
５  輪ゴム接続の孔
６  輪ゴム接続の孔
７  台座であると共にショートホール用テイー
８  本発明のゴルフテイー完成図
【図１】
2010148837.tif 000003
【図２】
2010148837.tif 000004